(57)【特許請求の範囲】
【請求項１】
一次冷媒（ｘ）を圧縮する一次冷媒用圧縮機（５）、一次冷媒（ｘ）を凝縮液化する一次冷媒用凝縮器（６）、一次冷媒（ｘ）を減圧する一次冷媒用減圧機構（７）および一次冷媒（ｘ）を蒸発気化させる一次冷媒用蒸発器（８）を冷媒配管（１３）を介して順次接続してなる高温側冷凍サイクル（Ａ）と、二次冷媒（ｙ）を圧縮する二次冷媒用圧縮機（９）、前記一次冷媒用蒸発器（８）との熱交換により二次冷媒（ｙ）を凝縮液化する二次冷媒用凝縮器（１０）、二次冷媒（ｙ）を減圧する二次冷媒用減圧機構（１１）および二次冷媒（ｙ）を蒸発気化させる二次冷媒用蒸発器（１２）を冷媒配管（１４）を介して順次接続してなる低温側冷凍サイクル（Ｂ）とを備え、前記二次冷媒用蒸発器（１２）で冷却された冷風（Ｗ）でショーケース（４）の冷却を行うショーケース用冷凍装置であって、前記ショーケース（４）内には、前記一次冷媒用蒸発器（８）を構成する内管（２４）と前記二次冷媒凝縮器（１０）を構成する外管（２５）とからなるフィン付二重管式熱交換器（３）と、該フィン付二重管式熱交換器（３）を冷却する冷却ファン（２６）とを配設するとともに、前記フィン付二重管式熱交換器（３）により加熱された温風（Ｗ′）を前記ショーケース（４）の底部前方に吹き出すように構成したことを特徴とするショーケース用冷凍装置。
【発明の詳細な説明】
【０００１】
【発明の属する技術分野】
【０００２】
本願発明は、ショーケース用冷凍装置に関し、さらに詳しくはショーケース前方の足元における冷えを防止するようにしたショーケース用冷凍装置に関するものである。
【従来の技術】
【０００３】
一般のショーケースは、図２に示すように、陳列棚Ａに載せられた商品を該陳列棚Ａの上方から吹き出された冷風Ｗにより冷却する構成とされている。
【発明が解決しようとする課題】
【０００４】
ところが、上記構成のショーケースの場合、陳列棚Ａの前方が開放された状態となっているため、上方から吹き出された冷風Ｗの大部分が陳列棚Ａの前方に漏れ出て滞留し、ショーケースの前方の足元に冷気域Ｃが形成される。該冷気域Ｃは、夏季にはあまり問題とならないが、夏季以外の季節、特に中間期（例えば、春や秋）には、ショーケース前方を通る人の足元が冷えるという不快感を与えてしまうという問題が生じていた。
【０００５】
本願発明は、上記の点に鑑みてなされたもので、ショーケース前方の足元の冷えを簡易な手段で解消し得るようにすることを目的とするものである。
【課題を解決するための手段】
【０００６】
請求項１の発明では、上記課題を解決するための手段として、一次冷媒ｘを圧縮する一次冷媒用圧縮機５、一次冷媒ｘを凝縮液化する一次冷媒用凝縮器６、一次冷媒ｘを減圧する一次冷媒用減圧機構７および一次冷媒ｘを蒸発気化させる一次冷媒用蒸発器８を冷媒配管１３を介して順次接続してなる高温側冷凍サイクルＡと、二次冷媒ｙを圧縮する二次冷媒用圧縮機９、前記一次冷媒用蒸発器８との熱交換により二次冷媒ｙを凝縮液化する二次冷媒用凝縮器１０、二次冷媒ｙを減圧する二次冷媒用減圧機構１１および二次冷媒ｙを蒸発気化させる二次冷媒用蒸発器１２を冷媒配管１４を介して順次接続してなる低温側冷凍サイクルＢとを備え、前記二次冷媒用蒸発器１２で冷却された冷風Ｗでショーケース４の冷却を行うショーケース用冷凍装置において、前記ショーケース４内に、前記一次冷媒用蒸発器８を構成する内管２４と前記二次冷媒凝縮器１０を構成する外管２５とからなるフィン付二重管式熱交換器３と、該フィン付二重管式熱交換器３を冷却する冷却ファン２６とを配設するとともに、前記フィン付二重管式熱交換器３により加熱された温風Ｗ′を前記ショーケース４の底部前方に吹き出すように構成している。
【０００７】
上記のように構成したことにより、冷凍装置の運転時においては、二次冷媒用圧縮機９から吐出された高温のガス冷媒ｙがフィン付二重管式熱交換器３の外管２５を構成する二次冷媒用凝縮器１０で凝縮液化される際にフィン付二重管式熱交換器３を通過する空気が加熱されて温風Ｗ′となり、該温風Ｗ′がショーケース４の底部前方に吹き出される。従って、ショーケース４の底部前方に形成される冷気域Ｃが温風Ｗ′により暖められることとなる。この場合、フィン付二重管式熱交換器３に供給されたガス冷媒ｙは、一次冷媒用蒸発器８を構成する内管２４側からと外管２５表面を通る空気とによって冷却されることとなるため、高温側冷凍サイクルＡが受け持つ冷却能力を小さくすることができる。
【発明の実施の形態】
【０００８】
以下、添付の図面を参照して、本願発明の好適な実施の形態について詳述する。
【０００９】
このショーケース用冷凍装置は、図１に示すように、一次冷媒ｘを圧縮する一次冷媒用圧縮機５、一次冷媒ｘを凝縮液化する一次冷媒用凝縮器６、一次冷媒ｘを減圧する一次冷媒用減圧機構７および一次冷媒ｘを蒸発気化させる一次冷媒用蒸発器８を冷媒配管１３を介して順次接続してなる高温側冷凍サイクルＡと、二次冷媒ｙを圧縮する二次冷媒用圧縮機９、前記一次冷媒用蒸発器８との熱交換により二次冷媒ｙを凝縮液化する二次冷媒用凝縮器１０、二次冷媒ｙを減圧する二次冷媒用減圧機構１１および二次冷媒ｙを蒸発気化させる二次冷媒用蒸発器１２を冷媒配管１４を介して順次接続してなる低温側冷凍サイクルＢとを備えた二元冷凍装置により構成されている。前記一次冷媒用蒸発器８を構成する内管２４と前記二次冷媒凝縮器１０を構成する外管２５とからなるフィン付二重管式熱交換器によりカスケード熱交換器３が構成されている。
【００１０】
前記一次冷媒用圧縮機５および一次冷媒用凝縮器６は室外ユニット１内に配置され、前記一次冷媒用減圧機構７、カスケード熱交換器３、二次冷媒用圧縮機９、二次冷媒用減圧機構１１および二次冷媒用蒸発器１２はショーケース４内にこ配置されている。
【００１１】
また、前記ショーケース４は、陳列棚（図示省略）および冷風循環路１９を備え、その底部には、二次冷媒用圧縮機９およびカスケード熱交換器３を配設するための機械室２０が形成されている。前記冷風循環路１９には、前記二次冷媒用蒸発器１２に空気を圧送する冷却ファン１６および前記二次冷媒用蒸発器１２が配設されている。
【００１２】
前記ショーケース４の底部には、前記カスケード熱交換器３と、該カスケード熱交換器３を冷却する冷却ファン２６とが配設されている。符号２７は前記外管２５の外周に形成されたフィンである。そして、前記カスケード熱交換器３を通過する際に加熱された温風Ｗ′は、前記ショーケース４底部の機械室２０の前面に形成された温風吹出口（図示省略）から前方に吹き出されるように構成されている。
【００１３】
上記のように構成されたショーケース用冷凍装置は、次のように作用する。
【００１４】
一次冷媒用圧縮機５から圧送された一次冷媒（高温のガス冷媒）ｘは、図１に実線矢印で示すように、一次冷媒用凝縮器６に供給され、そこで凝縮液化された後、一次冷媒用減圧機構７で減圧され、一次冷媒用蒸発器８で蒸発気化され、一次冷媒用圧縮機５へ還流される。
【００１５】
一方、二次冷媒用圧縮機９から圧送された二次冷媒（高温のガス冷媒）ｙは、図１に実線矢印で示すように、二次冷媒用凝縮器１０において前記一次冷媒用蒸発器８との熱交換により凝縮液化された後、二次冷媒用減圧機構１１で減圧され、その後二次冷媒用蒸発器１２で蒸発気化され、二次冷媒用圧縮機９へ還流される。従って、一次冷媒用蒸発器８との熱交換により低温化された二次冷媒ｙが二次冷媒用蒸発器１２において蒸発気化することにより、二次冷媒用蒸発器１２による冷却作用が大きく向上することとなる。
【００１６】
ところで、従来技術の項において既に説明したように、ショーケース４の冷風吹出口（図示省略）から吹き出された冷風Ｗの大部分は、ショーケース４の前方へ漏れ出てショーケース４の前方足元に冷気域Ｃが形成されるが、本実施の形態においては、二次冷媒用圧縮機９から吐出された高温のガス冷媒ｙがカスケード熱交換器となるフィン付二重管式熱交換器３における外管２５を構成する二次冷媒用凝縮器１０で凝縮液化される際にカスケード熱交換器３を通過する空気が加熱されて温風Ｗ′となり、該温風Ｗ′がショーケース４の底部前方に吹き出される。従って、ショーケース４の底部前方に形成される冷気域Ｃが温風Ｗ′により暖められることとなり、前記冷気域Ｃによる足元の冷えが解消される。
【００１７】
この場合、カスケード熱交換器３に供給されたガス冷媒ｙは、一次冷媒用蒸発器８を構成する内管２４側からと外管２５表面を通る空気とによって冷却されることとなるため、高温側冷凍サイクルＡが受け持つ冷却能力を小さくすることができる。
【００１８】
なお、前記一次冷媒用凝縮器６は、空冷式でも水冷式でもよい。また、前記空冷ファン２６は夏季には運転停止され、望ましくは中間期（例えば、春季、秋期）にのみ運転される。
【発明の効果】
【００１９】
請求項１の発明によれば、二次冷媒用圧縮機９から吐出された高温のガス冷媒ｙがフィン付二重管式熱交換器３における外管２５を構成する二次冷媒用凝縮器１０で凝縮液化される際にフィン付二重管式熱交換器３を通過する空気が加熱されて温風Ｗ′となってショーケース４の底部前方に吹き出されるようにしたので、ショーケース４の底部前方に形成される冷気域Ｃが温風Ｗ′により暖められることとなり、前記冷気域Ｃによる足元の冷えを一次冷媒用蒸発器８と二次冷媒用凝縮器１０とをフィン付二重管式熱交換器３で構成するという簡易な手段により解消することができるという優れた効果がある。
【００２０】
しかも、この場合、フィン付二重管式熱交換器３に供給されたガス冷媒ｙは、一次冷媒用蒸発器８を構成する内管２４側からと外管２５表面を通る空気とによって冷却されることとなるため、高温側冷凍サイクルＡが受け持つ冷却能力を小さくすることできるという効果もある。
【図面の簡単な説明】
【００２１】
【図１】  本願発明の第１の実施の形態にかかるショーケース用冷凍装置の冷媒回路図である。
【図２】  一般のショーケースの斜視図である。
【符号の説明】
【００２２】
３はフィン付二重管式熱交換器（カスケード熱交換器）、５は一次冷媒用圧縮機（圧縮機）、６は一次冷媒用凝縮器（凝縮器、空冷凝縮器）、７は一次冷媒用減圧機構（減圧機構）、８は一次冷媒用蒸発器（蒸発器）、９は二次冷媒用圧縮機、１０は二次冷媒用凝縮器、１１は二次冷媒用減圧機構、１２は二次冷媒用蒸発器、１３，１４は冷媒配管、１５は空冷熱交換器、１６，１７は冷却ファン、２０は機械室、２３は温風吹出口、２４は内管、２５は外管、２６は冷却ファン、２７はフィン、Ａは高温側冷凍サイクル（冷凍サイクル）、Ｂは低温側冷凍サイクル、Ｃは冷気域、Ｗは冷風、Ｗ′は温風、ｘは一次冷媒（冷媒）、ｙは二次冷媒。
【図１】
0003635902.tif 000002
【図２】
0003635902.tif 000003